(57)【要約】【課題】電源の瞬時電圧降下を容易に緩和することができる電源供給制御装置、及びこれを備える電子装置を提供する。【解決手段】電子装置が、複数の電子回路部のうちの少なくとも１つの電子回路部の電源供給線に設けられるスイッチ部と、このスイッチ部を制御する電源供給制御装置と、を備える。スイッチ部は、オン状態のときには複数の電子回路部のうちの少なくとも１つの電子回路部に電源から電力を供給し、オフ状態のときには該少なくとも１つの電子回路部への電力の供給を遮断する。電源供給制御装置は、電源から該少なくとも１つの電子回路部に電力の供給を開始するとき、スイッチ部のオン／オフの切り換えを繰り返した後に、スイッチ部をオン状態にする。【選択図】図１
2013059214.tif 000002
【特許請求の範囲】
【請求項１】
オン状態のときには複数の電子回路部のうちの少なくとも１つの電子回路部に電源から電力を供給し、オフ状態のときには前記電源から前記少なくとも１つの電子回路部への電力の供給を遮断するスイッチ部を制御し、
前記電源から前記少なくとも１つの電子回路部に電力の供給を開始するとき、前記スイッチ部のオン／オフの切り換えを繰り返した後に、前記スイッチ部をオン状態にすることを特徴とする電源供給制御装置。
【請求項２】
前記複数の電子回路部は、前記スイッチ部を介して前記電源から電力の供給を受ける第１電子回路部と、前記電源から電力の供給を受けている状態の第２電子回路部と、を少なくとも１つずつ含み、
前記少なくとも１つの電子回路部は前記第１電子回路部であって、
前記電源から前記第１電子回路部に電力の供給を開始するとき、前記スイッチ部のオン／オフの切り換えを繰り返した後に、前記スイッチ部をオン状態にすることを特徴とする請求項１に記載の電源供給制御装置。
【請求項３】
前記スイッチ部がオフ状態のときから、予め定められた期間、前記スイッチ部のオン／オフの切り換えを繰り返した後に、前記スイッチ部をオン状態にすることを特徴とする請求項１または請求項２に記載の電源供給制御装置。
【請求項４】
前記スイッチ部のオン／オフの切り換えを予め定められた周期で繰り返すことを特徴とする請求項１〜請求項３のいずれかに記載の電源供給制御装置。
【請求項５】
前記スイッチ部が半導体スイッチであることを特徴とする請求項１〜請求項４のいずれかに記載の電源供給制御装置。
【請求項６】
請求項１〜請求項５のいずれかに記載の電源供給制御装置と、
複数の電子回路部のうちの少なくとも１つの電子回路部の電源供給線に設けられ、オン状態のときには電源から前記少なくとも１つの電子回路部に電力を供給し、オフ状態のときには前記電源から前記少なくとも１つの電子回路部への電力の供給を遮断するスイッチ部と、
を備えることを特徴とする電子装置。
【請求項７】
前記複数の電子回路部の各々の電源供給線のインピーダンスを下げるためのキャパシタをさらに備え、
前記複数の電子回路部の各々において、前記キャパシタが、個別の前記電源供給線と接地との間に接続されることを特徴とする請求項６に記載の電子装置。
【発明の詳細な説明】
【技術分野】
【０００１】
本発明は、電源供給制御装置、及びこれを備える電子装置に関し、特に電子回路部の電源供給線に設けられるスイッチ部を制御する電源供給制御装置、及びこれを備える電子装置に関する。
【背景技術】
【０００２】
電子装置を複数の電子回路部に分割し、使用されていない電子回路部への電源の供給を止めることは、電子装置の消費電力の削減に有効な手法である。また、各電子回路部の電源供給線のインピーダンスを下げるために、各電子回路部の電源供給線にキャパシタを配することも一般的に行われている。
【０００３】
図８は、従来の電子装置の一例を示す回路図である。図８に示すように、電子装置１００は、電源１０１から電力の供給を受けている状態の第１電子回路部１０２ａと、スイッチ部１０４を介して電源１０１から電力の供給を受ける第２電子回路部１０２ｂと、を有している。
【０００４】
電子装置１００は、電源供給制御装置１０５によって制御されるスイッチ部１０４により、第２電子回路部１０２ｂへの電力の供給を遮断できるようにした設計されている。電源供給制御装置１０５から入力される制御信号Ｘの出力がハイレベルであるとき、スイッチ部１０４がオン状態となる。また、電源供給制御装置１０５から入力される制御信号Ｘの出力がローレベルであるとき、スイッチ部１０４がオフ状態となる。このように、電源供給制御装置１０５は、スイッチ部１０４のオン／オフの切り換えを制御することにより、第２電子回路部１０２ｂへの電力の供給と遮断とを制御することができる。
【先行技術文献】
【特許文献】
【０００５】
【特許文献１】特開２０１０−１０４１４０号公報
【発明の概要】
【発明が解決しようとする課題】
【０００６】
しかしながら、電源１０１から電力の供給が遮断されていない状態の第２電子回路部１０２ｂに電力の供給を開始すると、スイッチ部１０４をオフ状態からオン状態に切り換えた直後に突入電流が流れる。そして、第２電子回路部１０２ｂの電源供給線に配されたキャパシタ１０３に電荷が急速に移動するため、電源１０１に瞬時電圧低下が発生し、既に電源１０１から電力の供給を受けている状態の第１電子回路部１０２ａに動作異常を引き起こすという問題が発生する。
【０００７】
従来の電子装置１００では、電源供給線のインピーダンスが十分に低いことが必要である。また、従来の電子装置１００では、内部抵抗１０６の抵抗値が低い電源１０１及び内部抵抗１０７の抵抗値が低いスイッチ部１０４が使用される。しかしながら、電源供給線のインピーダンスや、内部抵抗１０６の抵抗値が低い電源１０１や内部抵抗１０７の内部抵抗値が低いほど、電源１０１の瞬時電圧降下の幅が大きくなる。
【０００８】
これに対して、特許文献１では、電源から電力の供給を開始したときに生じるキャパシタへの電荷の急速な移動に伴う突入電流を回避するために、電源の出力電圧を段階的又は線形的に増加させている。しかしながら、図８に示す従来の電子装置に特許文献１を適用して、電源１０１の出力電圧を段階的又は線形的に増加させると、第１電子回路部１０２ａに供給される電圧も段階的又は線形的に変化することになるので、第１電子回路部１０２ａが動作異常を引き起こしてしまう。
【０００９】
また、電源１０１の瞬時電圧降下を緩和するため、図９のように、第２電子回路部１０２ｂの電源供給線にインダクタ１０９を接続するなどの対策が考えられる。しかしながら、インダクタなどの部材を追加すると、部品点数の増加につながり、実装面積の増加や製造コストの上昇を招くという問題があった。また、電源供給線にインダクタを接続すると、電源供給線の交流インピーダンスを増加させるため、ノイズ耐性が減少するという問題も生じことになる。
【００１０】
本発明は、上記の問題を鑑みてなされたものであり、その目的は、電源の瞬時電圧降下を容易に緩和することができる電源供給制御装置、及びこれを備える電子装置を提供することを目的とする。
【課題を解決するための手段】
【００１１】
上記目的を達成するために、本発明の電源供給制御装置は、オン状態のときには複数の電子回路部のうちの少なくとも１つの電子回路部に電源から電力を供給し、オフ状態のときには前記電源から前記少なくとも１つの電子回路部への電力の供給を遮断するスイッチ部を制御し、前記電源から前記少なくとも１つの電子回路部に電力の供給を開始するとき、前記スイッチ部のオン／オフの切り換えを繰り返した後に、前記スイッチ部をオン状態にする。
【００１２】
上記構成の電源供給制御装置によれば、複数の電子回路部のうちの少なくとも１つの電子回路部に電源から電力の供給を開始するとき、電源供給制御回路装置が、スイッチ部のオン／オフの切り換えを繰り返した後に、スイッチ部をオン状態にすることにより、電源の瞬時電圧降下を容易に緩和することができる。
【００１３】
上記構成において、前記複数の電子回路部は、前記スイッチ部を介して前記電源から電力の供給を受ける第１電子回路部と、前記電源から電力の供給を受けている状態の第２電子回路部と、を少なくとも１つずつ含み、前記少なくとも１つの電子回路部は前記第１電子回路部であって、前記電源から前記第１電子回路部に電力の供給を開始するとき、前記スイッチ部のオン／オフの切り換えを繰り返した後に、前記スイッチ部をオン状態にしてもよい。
【００１４】
また、上記構成において、前記スイッチ部がオフ状態から、予め定められた期間、前記スイッチ部のオン／オフの切り換えを繰り返した後に、前記スイッチ部をオン状態にしてもよい。
【００１５】
また、上記構成において、前記スイッチ部のオン／オフの切り換えを予め定められた周期で繰り返してもよい。
【００１６】
また、上記構成において、前記スイッチ部が半導体スイッチであってもよい。
【００１７】
また、上記目的を達成するために、本発明の電子装置は、上記の電源供給制御装置と、複数の電子回路部のうちの少なくとも１つの電子回路部の電源供給線に設けられ、オン状態のときには電源から前記少なくとも１つの電子回路部に電力を供給し、オフ状態のときには前記電源から前記少なくとも１つの電子回路部への電力の供給を遮断するスイッチ部と、を備える。
【００１８】
上記構成の電子装置によれば、複数の電子回路部のうちの少なくとも１つの電子回路部に電源から電力の供給を開始するとき、電源供給制御回路装置が、スイッチ部のオン／オフの切り換えを繰り返した後に、スイッチ部をオン状態にすることにより、電源の瞬時電圧降下を容易に緩和することができる。
【発明の効果】
【００１９】
本発明によれば、電源の瞬時電圧降下を容易に緩和することができる電源供給制御装置、及びこれを備える電子装置を得ることができる。
【図面の簡単な説明】
【００２０】
【図１】本実施形態に係る電子装置の回路図である。
【図２】本実施形態に係る電子装置の等価回路図である。
【図３】電源供給制御装置によるスイッチ部のオン／オフの切り換え制御の一例を説明するためのタイミングチャートである。
【図４】実施例１における第１キャパシタ及び第２キャパシタに充電されている電圧の経時変化を示すグラフである。
【図５】実施例２における第１キャパシタ及び第２キャパシタに充電されている電圧の経時変化を示すグラフである。
【図６】実施例３における第１キャパシタ及び第２キャパシタに充電されている電圧の経時変化を示すグラフである。
【図７】比較例における第１キャパシタ及び第２キャパシタに充電されている電圧の経時変化を示すグラフである。
【図８】従来の電子装置の一例を示す回路図である。
【図９】電源供給線にインダクタを配した電子装置の一例を示す回路図である。
【発明を実施するための形態】
【００２１】
以下に本発明の実施形態について図面を参照して説明する。
【００２２】
図１は、本実施形態に係る電子装置の回路図である。また、図２は、本実施形態に係る電子装置の等価回路図である。図１及び図２に示すように、本実施形態に係る電子装置１は、電源１１と、２つの電子回路部１２と、２つのキャパシタ１３と、スイッチ部１４と、電源供給制御装置１５と、を備える。また、電源１１は内部抵抗１６を有し、スイッチ部１４は内部抵抗１７を有している。
【００２３】
電源１１は、電子装置１の電力源であり、２つの電子回路部１２に電力を供給する。
【００２４】
２つの電子回路部１２は、第１電子回路部１２ａと、第２電子回路部１２ｂとを含む。第１電子回路部１２ａは、電源１１から電力の供給を受けている状態の電子回路ユニットである。第２電子回路部１２ｂは、スイッチ部１４を介して、電源１１から電力の供給を受ける電子回路ユニットである。
【００２５】
２つのキャパシタ１３は、第１電子回路部１２ａの電源供給線に配される第１キャパシタ１３ａと、第２電子回路部１２ｂの電源供給線に配される第２キャパシタ１３ｂと、を含む。第１キャパシタ１３ａは、第１電子回路部１２ａの電源供給線のインピーダンスを下げるために、第１電子回路部１２ａの電源供給線と接地との間に配置されている。言い換えると、第１キャパシタ１３ａの一端は電源１１とスイッチ部１４との間の導電経路に接続され、他端は接地されている。また、第２キャパシタ１３ｂは、第２電子回路部１２ｂの電源供給線のインピーダンスを下げるために、第２電子回路部１２ｂの電源供給線と接地との間に配置されている。言い換えると、第２キャパシタ１３ｂの一端はスイッチ部１４と第２電子回路部１２ｂとの間の導電経路に接続され、他端は接地されている。
【００２６】
スイッチ部１４は、第２電子回路部１２ｂの電源供給線に設けられた半導体スイッチであり、第２電子回路部１２ｂに電源１１から電力を供給するための電源供給線のオン／オフを切り換える。スイッチ部１４の一端は電源１１に接続され、その他端は第２電子回路部１２ｂ及び第２キャパシタに接続されている。スイッチ部１４は、オン状態のときには第２電子回路部１２ｂに電源１１から電力を供給し、オフ状態のときには電源１１から第２電子回路部１２ｂへの電力の供給を遮断する。こうすれば、第２電子回路部１２ｂを使用しないときには、第２電子回路部１２ｂへの電力の供給を遮断することができるので、電子装置１の消費電力を削減することができる。
【００２７】
電源供給制御装置１５は、スイッチ部１４を制御する制御回路ユニットである。電源供給制御装置１５は、スイッチ部１４のオン／オフを制御するための制御信号Ｘをスイッチ部１４に出力する。たとえば、制御信号Ｘの出力がローレベル（以下、単にＬと呼ぶ。）であるとき、スイッチ部１４はオフ状態となり、制御信号Ｘの出力がハイレベル（以下、単にＨと呼ぶ。）であるとき、スイッチ部１４はオン状態となる。
【００２８】
次に、電源供給制御装置１５によるスイッチ部１４のオン／オフの切り換えの制御方法について説明する。第２電子回路部１２ｂに電力の供給を開始するとき、電源供給制御装置１５は、スイッチ部１４がオフ状態から、予め定められた期間、スイッチ部１４のオン／オフの切り換えを予め定められた周期で繰り返した後に、スイッチ部１４をオン状態にする。図３は、電源供給制御装置によるスイッチ部のオン／オフの切り換え制御の一例を説明するためのタイミングチャートである。
【００２９】
図３に示すように、時刻ｔ＜０において、電源供給制御装置１５の制御信号Ｘの出力はＬである。そのため、スイッチ部１４はオフ状態となっている。次に、時刻ｔ＝０において、期間ｔ１の間、制御信号Ｘの出力がＨとなり、スイッチ部１４がオン状態となる。その後、期間ｔ２の間、制御信号Ｘの出力がＬとなり、スイッチ部１４がオフ状態となる。以後、時刻ｔ＝０から時刻Ｔまでの予め定められた期間、予め定められた周期（ｔ１＋ｔ２）で、制御信号Ｘは、期間ｔ１の間では出力Ｈとなり、期間ｔ２の間では出力Ｌとなる出力の切り換え動作を繰り返す。その後、時刻Ｔ≦ｔでは、制御信号Ｘの出力がＨとなる。
【００３０】
そのため、スイッチ部１４も同様に、時刻Ｔまでの間、周期（ｔ１＋ｔ２）で、期間ｔ１の間ではオン状態となり、期間ｔ２の間ではオフ状態となる切り換え動作を繰り返した後、時刻Ｔ≦ｔにおいてオン状態となる。
【００３１】
なお、期間ｔ１及びｔ２や周期（ｔ１＋ｔ２）は、第２電子回路部１２ｂの電源供給線のインピーダンス、第２キャパシタ１３ｂの静電容量、電源１１の内部抵抗１６やスイッチ部１４の内部抵抗１７の抵抗値により定まる第２キャパシタ１３ｂの充電時間（たとえば充電が完了するまでの期間）よりも短い時間に設定される。
【００３２】
このように、電源供給制御装置１５は、時刻ｔ＜０において、スイッチ部１４をオフ状態にするための第１制御信号を出力する。そして、第２電子回路部１２ｂに電力の供給を開始するとき、電源供給制御装置１５は、時刻ｔ＝０から時刻ｔ＝Ｔまでの予め定められた期間、予め定められた周期（ｔ１＋ｔ２）で、スイッチ部１４をオン状態にするための第２制御信号と、スイッチ部１４をオフ状態にするための第１制御信号とをスイッチ部１４に繰り返し出力する。さらに、時刻Ｔ≦ｔにおいて、電源供給制御装置１５は、スイッチ部１４をオン状態にするための第２制御信号をスイッチ部１４に出力する。
【００３３】
このような制御信号Ｘの出力の変化は次の数式１〜３で表すことができる。
2013059214.tif 000003
【００３４】
この結果、スイッチ部１４は、時刻ｔ＜０においてオフ状態であるが、時刻ｔ＝０から時刻ｔ＝Ｔまでの予め定められた期間、予め定められた周期（ｔ１＋ｔ２）で、期間ｔ１の間ではオン状態となり、期間ｔ２の間ではオフ状態となる切り換え動作を繰り返した後、時刻Ｔ≦ｔにおいてオン状態となる。こうすれば、後述する実施例１〜３及び比較例の結果から明らかなように、第２電子回路部１２ｂに電力の供給を開始するときの電源１１の瞬時電圧降下を容易に緩和することができる。
【００３５】
次に、実施例１〜３として、上述のようなスイッチ部１４のオン／オフの切り換えの制御を行ったときの結果を示す。なお、本実施形態の電子装置１では、電源１１の出力電圧は、第１キャパシタ１３ａの蓄積電圧とほぼ同じ値となる。よって、以下の実験例１〜３では、電源１１の出力電圧の経時変化として、第１キャパシタ１３ａの蓄積電圧の経時変化を示す。
＜実施例１＞
【００３６】
実施例１では、次の条件下において、第１キャパシタ１３ａ及び第２キャパシタ１３ｂの蓄積電圧を測定した。
電源１１の出力電圧（定常状態）：３．３Ｖ、
電源１１の内部抵抗１６の抵抗値：０．０５Ω、
スイッチ部１４の内部抵抗１７の抵抗値：０．０５Ω、
第１キャパシタ１３ａの静電容量：３００μＦ、
第２キャパシタ１３ｂの静電容量：３００μＦ、
期間ｔ１：３μｓｅｃ、
期間ｔ２：９７μｓｅｃ、
時刻ｔ＝０から時刻Ｔまでの時間：４９０ｍｓｅｃ
【００３７】
図４は、実施例１における第１キャパシタ１３ａ及び第２キャパシタ１３ｂに充電されている電圧の経時変化を示すグラフである。図４では、グラフＬ１ａが第１キャパシタ１３ａに充電されている電圧の経時変化（すなわち電源１１の出力電圧の経時変化）を示し、グラフＬ１ｂが第２キャパシタ１３ｂに充電されている電圧の経時変化を示している。また、時刻ｔ＝０は、第２電子回路部１２ｂに電力の供給を開始した時刻である。
【００３８】
図４に示すように、実施例１では、第２電子回路部１２ｂへの電力の供給開始直後における第１キャパシタ１３ａでの瞬時電圧降下の幅は最大で０．０８Ｖであった。この幅は、定常状態（たとえば期間ｔ＜０又はＴ≦ｔ）における電源１１の出力電圧３．３Ｖのおよそ２．４％程度である。
＜実施例２＞
【００３９】
実施例２では、次の条件下において、第１キャパシタ１３ａ及び第２キャパシタ１３ｂの蓄積電圧を測定した。
電源１１の出力電圧（定常状態）：３．３Ｖ、
電源１１の内部抵抗１６の抵抗値：０．０５Ω、
スイッチ部１４の内部抵抗１７の抵抗値：０．０５Ω、
第１キャパシタ１３ａの静電容量：３００μＦ、
第２キャパシタ１３ｂの静電容量：３００μＦ、
期間ｔ１：２μｓｅｃ、
期間ｔ２：９８μｓｅｃ、
時刻ｔ＝０から時刻Ｔまでの時間：４９０ｍｓｅｃ
【００４０】
図５は、実施例２における第１キャパシタ１３ａ及び第２キャパシタ１３ｂに充電されている電圧の経時変化を示すグラフである。図５では、グラフＬ２ａが第１キャパシタ１３ａに充電されている電圧の経時変化（すなわち電源１１の出力電圧の経時変化）を示し、グラフＬ２ｂが第２キャパシタ１３ｂに充電されている電圧の経時変化を示している。また、時刻ｔ＝０は、第２電子回路部１２ｂに電力の供給を開始した時刻である。
【００４１】
図５に示すように、実施例２では、第２電子回路部１２ｂへの電力の供給開始直後における第１キャパシタ１３ａの瞬時電圧降下の幅は最大で０．０６Ｖであった。この幅は、定常状態（たとえば期間ｔ＜０又はＴ≦ｔ）における電源１１の出力電圧３．３Ｖのおよそ１．８％程度である。
＜実施例３＞
【００４２】
実施例３では、次の条件下において、第１キャパシタ１３ａ及び第２キャパシタ１３ｂの蓄積電圧を測定した。
電源１１の出力電圧（定常状態）：３．３Ｖ、
電源１１の内部抵抗１６の抵抗値：０．０５Ω、
スイッチ部１４の内部抵抗１７の抵抗値：０．０５Ω、
第１キャパシタ１３ａの静電容量：３００μＦ、
第２キャパシタ１３ｂの静電容量：３００μＦ、
期間ｔ１：５μｓｅｃ、
期間ｔ２：９５μｓｅｃ、
時刻ｔ＝０から時刻Ｔまでの時間：４９０ｍｓｅｃ
【００４３】
図６は、実施例３における第１キャパシタ１３ａ及び第２キャパシタ１３ｂに充電されている電圧の経時変化を示すグラフである。図６では、グラフＬ３ａが第１キャパシタ１３ａに充電されている電圧の経時変化（すなわち電源１１の出力電圧の経時変化）を示し、グラフＬ３ｂが第２キャパシタ１３ｂに充電されている電圧の経時変化を示している。また、時刻ｔ＝０は、第２電子回路部１２ｂに電力の供給を開始した時刻である。
【００４４】
図６に示すように、実施例３では、第２電子回路部１２ｂへの電力の供給開始直後における第１キャパシタ１３ａの瞬時電圧降下の幅は最大で０．１３Ｖであった。この幅は、定常状態（たとえば期間ｔ＜０又はＴ≦ｔ）における電源１１の出力電圧３．３Ｖのおよそ３．９％程度である。
＜比較例＞
【００４５】
次に、比較例として、前述のような電源供給制御装置１５によるスイッチ部１４のオン／オフの切り換えの制御を行わなかったときの結果を示す。比較例では、第２電子回路部１２ｂに電力の供給を開始する時刻以前（時刻ｔ＜０）ではスイッチ部１４がオフ状態であり、第２電子回路部１２ｂに電力の供給を開始する時刻以後（時刻ｔ≧０）ではスイッチ部１４をオン状態にした。また、比較例では、次の条件下において、期間０≦ｔ≦１０００ｍｓｅｃでの、第１キャパシタ１３ａ及び第２キャパシタ１３ｂの蓄積電圧を測定した。
電源１１の出力電圧：３．３Ｖ、
電源１１の内部抵抗１６：０．０５Ω、
スイッチ部１４の内部抵抗１７：０．０５Ω、
第１キャパシタ１３ａの静電容量：３００μＦ、
第２キャパシタ１３ｂの静電容量：３００μＦ
【００４６】
図７は、比較例における第１キャパシタ１３ａ及び第２キャパシタ１３ｂに充電されている電圧の経時変化を示すグラフである。図７では、グラフｌａが第１キャパシタ１３ａに充電されている電圧の経時変化（すなわち電源１１の出力電圧の経時変化）を示し、グラフｌｂが第２キャパシタ１３ｂに充電されている電圧の経時変化を示している。また、時刻ｔ＝０は、第２電子回路部１２ｂに電力の供給を開始した時刻である。
【００４７】
図７に示すように、比較例では、第２電子回路部１２ｂへの電力の供給開始直後における第１キャパシタ１３ａの瞬時電圧降下の幅は最大で０．８９Ｖであった。この幅は、定常状態（たとえば期間ｔ＜０）における電源１１の出力電圧３．３Ｖのおよそ２７．０％に及ぶ。
【００４８】
以上のように、実施例１〜３では、比較例と比べて、第２電子回路部１２ｂへの電力の供給開始直後における第１キャパシタ１３ａの瞬時電圧降下の幅を非常に小さくすることができた。そのため、実施例１〜３では、比較例と比べて、第２電子回路部１２ｂに電力の供給を開始するとき、既に電力が供給されている第１電子回路部１２ａの動作異常を発生しにくくすることができる。
【００４９】
このように、本実施形態に係る電子装置１では、電源１１から第２電子回路部１２ｂに電力の供給を開始するとき、予め定められた期間、第２電子回路部１２ｂに電力を予め定められた周期で間欠的に供給することにより、第２電子回路部１２ｂに電力の供給を開始した直後に発生する電源１１の瞬時電圧降下を容易に緩和することができる。
【００５０】
以上、本発明について実施形態をもとに説明した。この実施形態は例示であり、その各構成要素や各処理の組み合わせに色々な変形例が可能であり、本発明の範囲にあることは当業者に理解されるところである。
【００５１】
なお、本実施形態では、たとえば、制御信号Ｘの出力がＬであるとき、スイッチ部１４はオフ状態となり、制御信号Ｘの出力がＨであるとき、スイッチ部１４はオフ状態となるが、本発明はこれに限定されない。たとえば、制御信号Ｘの出力がＨであるとき、スイッチ部１４はオフ状態となり、制御信号Ｘの出力がＬであるとき、スイッチ部１４はオフ状態となってもよい。
【００５２】
また、本実施形態では、電子装置１が第１電子回路部１２ａ及び第２電子回路部を１つずつ備えているが、本発明はこの構成に限定されない。第１電子回路部１２ａは複数であってよいし、第２電子回路部１２ｂも複数であってもよい。第１電子回路部１２ａが複数である場合には、個別の第１キャパシタ１３ａが各々の第１電子回路部１２ａの電源供給線に設けられる。また、第２電子回路部１２ｂが複数である場合には、個別の第２キャパシタ１３ｂが各々の第２電子回路部１２ｂの電源供給線に設けられる。さらに、第２電子回路部１２ｂが複数である場合には、全ての第２電子回路部１２ｂが１つのスイッチ部１４を介して電源１１から電力を供給されてもよい。或いは、各々の第２電子回路部１２ｂが個別のスイッチ部１４を介して電源１１から電力を供給されてもよい。言い換えると、個別のスイッチ部１４が各々の電子回路部１２の電源供給線に設けられていてもよい。
【産業上の利用可能性】
【００５３】
本発明は、部品点数及び実装面積の増加や製造コストの上昇を招くことなく、消費電力及び電源の瞬時電圧降下の低減を実現する電源供給制御装置や電子機器に利用することができる。
【符号の説明】
【００５４】
１、１００                      電子装置
１１、１０１                    電源
１２                            電子回路部
１２ａ、１０２ａ                  第１電子回路部
１２ｂ、１０２ｂ                  第２電子回路部
１３、１０３                    キャパシタ
１３ａ                            第１キャパシタ
１３ｂ                            第２キャパシタ
１４、１０４                    スイッチ部
１５、１０５                    電源供給制御装置
１６、１０６                    電源の内部抵抗
１７、１０７                    スイッチ部の内部抵抗
１０９                          インダクタ
【図１】
2013059214.tif 000004
【図２】
2013059214.tif 000005
【図３】
2013059214.tif 000006
【図４】
2013059214.tif 000007
【図５】
2013059214.tif 000008
【図６】
2013059214.tif 000009
【図７】
2013059214.tif 000010
【図８】
2013059214.tif 000011
【図９】
2013059214.tif 000012